(57)【要約】【課題】水泳用フィンの着脱を容易にし、さらに足のサイズに応じて長さを調整可能なヒールストラップの提供。【解決手段】前部にブレード１３を備え、後部にフットポケット１５を備える水泳用フィン１１の後部に取り付けられるヒールストラップ１０であって、ヒールストラップが、その延在方向Ｘの中央部に位置する中央部材２１と、中央部材の両側に係止される一対の弾性部材３１とを備え、弾性部材が延在方向に長い部材であり、中央部材に対する弾性部材の係止位置を変更可能なヒールストラップ。【選択図】図１
2017086140.tif 000002
【特許請求の範囲】
【請求項１】
前部にブレードを備え、後部にフットポケットを備える水泳用フィンの前記後部に取り付けられるヒールストラップであって、
前記ヒールストラップが、前記ヒールストラップの延在方向の中央部に位置する中央部材と、前記中央部材の両側に係止される一対の弾性部材とを備え、
前記弾性部材が前記延在方向に長い部材であり、
前記延在方向において、前記中央部材に対する前記弾性部材の係止位置を変更可能であることを特徴とする、前記ヒールストラップ。
【請求項２】
前記中央部材に、踵当接領域と、前記延在方向において前記踵当接領域の両側に位置する一対の延出領域とが含まれ、前記延出領域のそれぞれに、前記延在方向に沿って複数の係止孔が間隔を置いて配置され、
前記弾性部材の長手方向の一端に、前記係止孔に係止可能な係止突起が立設される、請求項１に記載のヒールストラップ。
【請求項３】
前記係止突起が、ゴム弾性を有する材料で前記弾性部材と一体に形成され、
前記係止突起が、前記弾性部材に立設された柱状部と、前記柱状部の頂部に位置するとともに前記柱状部に交差する方向に延出する拡大頭部とを備え、
前記係止孔が、前記中央部材の前記延出領域に間隔を置いて配置された凹部の底面に形成され、
前記凹部が、前記係止突起の前記拡大頭部を収容可能な深さ及び平面形状を有する、請求項２に記載のヒールストラップ。
【請求項４】
前記凹部の前記底面に、前記係止孔が形成された高剛性板が配置され、
前記高剛性板の剛性の方が、前記係止突起の剛性より高い、請求項３に記載のヒールストラップ。
【発明の詳細な説明】
【技術分野】
【０００１】
本発明は、水泳用フィンのヒールストラップに関する。
【背景技術】
【０００２】
従来、水泳用フィンのヒールストラップは公知である。例えば特許文献１には、ネオプレンゴムで被覆されたスプリングの両端が水泳用フィンのフットポケットの開口縁に固定され、スプリングが弾性限界を超えて延びることを防止するための非伸長性コードがスプリング内に挿通され、非伸長性コードの両端がフットポケットの開口縁に固定されたヒールストラップが開示されている。
【先行技術文献】
【特許文献】
【０００３】
【特許文献１】米国特許第４２５１８９４号公報
【発明の開示】
【発明が解決しようとする課題】
【０００４】
特許文献１に開示されたヒールストラップは、スプリングとフットポケットの間に踵を挟み込むだけで水泳用フィンを装着できるので、着脱が容易である。
【０００５】
しかし、スプリングを用いたヒールストラップの場合、スプリングの長さを変更できないため、足のサイズに応じて異なる長さのヒールストラップを準備しなければならないという問題がある。
【０００６】
本発明は、水泳用フィンの着脱を容易にし、さらに足のサイズに応じて長さを調整可能なヒールストラップの提供を課題とする。
【課題を解決するための手段】
【０００７】
本発明は、前部にブレードを備え、後部にフットポケットを備える水泳用フィンの前記後部に取り付けられるヒールストラップに関する。
【０００８】
本発明に係るヒールストラップは、前記ヒールストラップが、前記ヒールストラップの延在方向の中央部に位置する中央部材と、前記中央部材の両側に係止される一対の弾性部材とを備え、前記弾性部材が前記延在方向に長い部材であり、前記延在方向において、前記中央部材に対する前記弾性部材の係止位置を変更可能であることを特徴とする。
【０００９】
本発明に係るヒールストラップの実施態様の一つでは、前記中央部材に、踵当接領域と、前記延在方向において前記踵当接領域の両側に位置する一対の延出領域とが含まれ、前記延出領域のそれぞれに、前記延在方向に沿って複数の係止孔が間隔を置いて配置され、前記弾性部材の長手方向の一端に、前記係止孔に係止可能な係止突起が立設される。
【００１０】
本発明に係るヒールストラップの別の実施態様の一つでは、前記係止突起が、ゴム弾性を有する材料で前記弾性部材と一体に形成され、前記係止突起が、前記弾性部材に立設された柱状部と、前記柱状部の頂部に位置するとともに前記柱状部に交差する方向に延出する拡大頭部とを備え、前記係止孔が、前記中央部材の前記延出領域に間隔を置いて配置された凹部の底面に形成され、前記凹部が、前記係止突起の前記拡大頭部を収容可能な深さ及び平面形状を有する。
【００１１】
本発明に係るヒールストラップのまた別の実施態様の一つでは、前記凹部の前記底面に、前記係止孔が形成された高剛性板が配置され、前記高剛性板の剛性の方が、前記係止突起の剛性より高い。
【発明の効果】
【００１２】
本発明に係るヒールストラップでは、弾性部材を備えるヒールストラップとフットポケットの間に踵を挟み込むだけで水泳用フィンを装着できるので着脱が容易であり、さらに、中央部材に対する弾性部材の係止位置を変更することにより、ヒールストラップの長さを調整することができる。
【図面の簡単な説明】
【００１３】
図面は、本発明の特定の実施の形態を示し、発明の不可欠な構成ばかりでなく、選択的及び好ましい実施の形態を含む。
【図１】本発明に係るヒールストラップの斜視図。
【図２】ヒールストラップの平面図。
【図３】図２に示す中央部材の延出部のＩＩＩ−ＩＩＩ線断面図。
【図４】図２に示す弾性部材のＩＶ−ＩＶ線断面図。
【図５】中央部材に弾性部材を係止したときの状態を表す断面図。
【発明を実施するための形態】
【００１４】
下記の各実施の形態は、図１〜４に示すヒールストラップ１０に関し、発明の不可欠な構成ばかりではなく、選択的及び好ましい構成を含む。
【００１５】
図１に示すように、本発明に係るヒールストラップ１０は、前部にブレード１３を備え、後部にフットポケット１５を備える水泳用フィン１１の後部に取り付けられる。ヒールストラップ１０は、水泳用フィン１１の使用者の足をフットポケット１５内に保持しておく機能を有する。図示例では、水泳用フィン１１の後部の側面に立設された一対の係合ピン１６にヒールストラップ１０の取付具３５を係合させることにより、ヒールストラップ１０が水泳用フィン１１の後部に取り付けられる。
【００１６】
図２は、ヒールストラップ１０を直線状にして、ヒールストラップ１０の使用時に水泳用フィン１１の後部に対向する面から見た平面図である。図２に示すように、ヒールストラップ１０は、ヒールストラップ１０の延在方向Ｘにおいて中央部に位置する中央部材２１と、中央部材２１の両側に係止される一対の弾性部材３１とを備える。本実施形態の弾性部材３１はゴム弾性を有する材料を用いて形成された細長い部材である。ゴム弾性を有する材料の例として、ネオプレンゴム、シリコーンゴムが挙げられるが、これらに限定されない。
【００１７】
中央部材２１には、使用者の踵に当接可能な踵当接領域２２と、ヒールストラップ１０の延在方向Ｘにおいて踵当接領域２２の両側に位置する一対の延出領域２３とが含まれている。各延出領域２３には、延在方向Ｘに沿って複数の係止孔２４が間隔を置いて配置されている（図３参照）。一方、弾性部材３１の長手方向の一端には、中央部材２１に設けられた係止孔２４に係止可能な係止突起３２が立設されており、他端には水泳用フィン１１の係合ピン１６に係合可能な取付具３５が固定されている（図４参照）。
【００１８】
本発明では、ヒールストラップ１０の中央部材２１の延出領域２３に複数の係止孔２４が間隔を置いて配置されているので、延在方向Ｘにおいて中央部材２１に対する弾性部材３１の係止突起３２の係止位置を変更することにより、ヒールストラップ１０の長さを調整することができる。また、一旦中央部材２１に対する弾性部材３１の係止位置を決めてしまえば、弾性部材３１がずれ動くことは無いので、ヒールストラップ１０のゆるみが生じることは無い。したがって水泳用フィン１１の使用者は、足のサイズを気にすることなくヒールストラップ１０を購入することができ、さらに、ヒールストラップ１０の長さを自分の足のサイズに一度合わせてしまえば、ヒールストラップ１０の長さを再調整することなく使用し続けることができる。
【００１９】
図４を参照して、本実施形態では、弾性部材３１と係止突起３２とが、ゴム弾性を有する材料で一体に形成されている。係止突起３２は、弾性部材３１に立設された柱状部３３と、柱状部３３の頂部に位置するとともに、柱状部３３に交差する方向に延出する拡大頭部３４とを備える。図示例の柱状部３３の平面形状はＴ字形で、拡大頭部３４の平面形状は矩形である（図２参照）。しかし柱状部３３及び拡大頭部３４の形状はこれらに限定されず、任意の形状にすることができる。弾性部材３１に係止突起３２が形成された面と反対側の面は、ヒールストラップ１０の使用時に例えば海中の突起物に当たる可能性があるので、なだらかな面にすることが好ましい。弾性部材３１の延在方向Ｘにおいて、係止突起３２が立設された端部とは反対側の端部には、ヒールストラップ１０を水泳用フィン１１に取り付けるための取付具３５が固定されている。取付具３５は、水泳用フィン１１の係合ピン１６に係合可能な係合開口３６を有する。
【００２０】
図２と図３を参照して、中央部材２１の延出領域２３に間隔を置いて配置された凹部２５の底面２６に係止孔２４が形成されている。本実施形態では、凹部２５の底面２６に配置された高剛性板２７に、係止孔２４が形成されている。この場合、高剛性板２７を形成する材料の曲げ弾性率の方が、弾性部材３１及び係止突起３２を形成するゴム弾性を有する材料の曲げ弾性率よりも大きくなるように各材料を選定して、高剛性板２７の剛性を、弾性部材３１に立設された係止突起３２の剛性より高くすることが好ましい。高剛性板２７に係止孔２４を設ければ、係止突起３２が係止孔２４から抜け難くなるので好ましい。高剛性板２７の材料に特に制限は無く、例えば熱可塑性樹脂又は熱硬化性樹脂を用いることができる。図３には高剛性板２７が中央部材２１に埋設されている例を図示しているが、高剛性板２７を中央部材２１が弾性部材３１に対向する面の表面に固定することもできる。また、図示例では１枚の高剛性板２７に複数の係止孔２４が形成されているが、係止孔２４が１つだけ形成された高剛性板２７を、延在方向Ｘに沿って複数枚並べることもできる。
【００２１】
延出領域２３に配置される凹部２５は、係止突起３２の拡大頭部３４を収容可能な深さ及び平面形状を有することが好ましい。これにより、係止孔２４に係止された係止突起３２の頭部が中央部材２１の延出領域２３の外に突出することを防止できる（図５参照）。また、係止孔２４の平面形状は、柱状部３３の幅方向断面形状にほぼ等しいことが好ましい。ここで、柱状部３３の幅方向断面とは、柱状部３３の立設方向に直交する平面で柱状部３３を切断したときの断面形状を意味する。
【００２２】
図５を参照して、仮想線で示す弾性部材３１に立設された係止突起３２は、中央部材２１の延在方向Ｘ両端に形成された挿通孔２８に挿通された後、係止孔２４に係止される。中央部材２１は、水泳用フィン１１を使用しているとき弾性部材３１より変形しにくく、主として弾性部材３１の弾性により使用者の足をフットポケット１５内に保持することが好ましい。但し、中央部材２１と弾性部材３１の材質が同じであってもよい。例えば、中央部材２１（高剛性板２７を除く）と弾性部材３１を同一種のゴム弾性を有する材料で形成する場合、弾性部材３１において係止突起３２と取付具３５との間に位置する部分の肉厚を、中央部材２１の肉厚よりも小さくすることにより、弾性部材３１を弾性変形し易くするとともに、中央部材２１を変形し難くすることができる。図示例では、弾性部材３１において係止突起３２と取付具３５との間に位置する部分を、複数のリブ３７が形成された中空半円柱状にすることにより、肉厚を中央部材２１よりも小さくしている。
【００２３】
本発明は上記の実施形態に限定されず、種々変更して実施することができる。例えば、ゴムで形成された弾性部材３１に代えて、一端に係止突起３２を備え、他端に取付具３５を備えるスプリングを用いることができる。また、弾性部材３１を中空半円柱状にする代わりに、扁平な紐状にすることもできる。
【符号の説明】
【００２４】
１０    ヒールストラップ
１１    水泳用フィン
１３    ブレード
１５    フットポケット
２１    中央部材
２２    踵当接領域
２３    延出領域
２４    係止孔
２５    凹部
２６    底面
２７    高剛性板
３１    弾性部材
３２    係止突起
３３    柱状部
３４    拡大頭部
Ｘ      延在方向
【図１】
2017086140.tif 000003
【図２】
2017086140.tif 000004
【図３】
2017086140.tif 000005
【図４】
2017086140.tif 000006
【図５】
2017086140.tif 000007